(57)【特許請求の範囲】
【請求項１】
シリンダー兼用の容器本体と、該容器本体内に摺動可能として装着され操作部材を介して外部より押圧操作可能とされたピストン部材と、容器本体を被嵌する櫛付キャップとを備えた毛染液塗布用具であって、
容器本体は、シリンダーを構成する側筒壁と、該側筒壁の外側に配設され外周にねじを螺設した螺着筒、およびピストン案内筒を連設した底壁とを具備し、
ピストン案内筒の下部分に設けた突出リングに切欠けを形成し、切欠けの一方の側に接するよう位置して前記底壁に挿入孔を穿設しており、
ピストン部材は、ピストンと、ピストン案内筒に摺動自在に嵌挿された一定の径を有するピストン摺動筒と、該ピストン摺動筒に嵌挿された係合筒と、端面が平坦な操作板とからなる操作部材とを具備し、
ピストン摺動筒外周に前記挿入孔に挿入可能な係止板を付設し、廻動操作により係止板を挿入孔に挿入または底壁に係止するようにしており、
櫛付キャップは、キャップ本体と櫛体とからなり、
キャップ本体は、櫛体を連設した頂壁と、内周にねじを螺設した側筒壁を具備し、
櫛体は、キャップ本体の頂壁に立設され、内部にシリンダー室内に連通する流通孔が穿設され、先端側部に吐出口を設けた櫛歯を具備していることを特徴とする毛染液塗布用具。
【請求項２】
シリンダー兼用の容器本体と、該容器本体内に摺動可能として装着され、操作部材を介して外部より押圧操作可能とされたピストン部材と、容器本体を被嵌する櫛付キャップとを備えた毛染液塗布用具であって、
容器本体は、シリンダーを構成する側筒壁と、該側筒壁の外側に配設され内周にねじを螺設した螺着筒、およびピストン案内筒を連設した段部を具えた底壁とを具備しており、
底壁の段部に円弧状の挿入孔を穿設し、該挿入孔の一端部に接して一方のストッパーを設け、挿入孔を挟んで孔端より一定の距離を置いて、他方のストッパーが設けられており、
ピストン部材は、ピストンと前記ピストン案内筒に摺動自在に嵌挿された一定の径を有するピストン摺動筒と、ピストン摺動筒に嵌挿された係合筒と、端面が平坦な操作板とからなる操作部材とを具備し、
操作板の外周に沿って、前記円弧状の挿入孔に挿入される係止板が設けられ、廻動操作により係止板を挿入孔に挿入または底壁段部に係止するようにしており、
櫛付キャップは、キャップ本体と櫛体とからなり、
キャップ本体は、櫛体を連設した頂壁と、外周にねじを螺設した側筒壁を具備しており、
櫛体は、内部にシリンダー室内に連通する流通孔が穿設され、先端側部に吐出口を設けた櫛歯を具備していることを特徴とする毛染液塗布用具。
【請求項３】
櫛付キャップの櫛体が、キャップ本体の頂壁に連設された取付体と、該取付体に取着される櫛歯体とからなり、櫛歯の方向が横方向に延びる櫛体であることを特徴とする請求項２記載の毛染液塗布用具。
【請求項４】
櫛付キャップの櫛体が、キャップ本体の頂壁に立設され、櫛歯の方向が縦方向に延びる櫛体であることを特徴とする請求項１または２記載の毛染液塗布用具。
【請求項５】
櫛付キャップとして、横方向に延びる櫛体を有する櫛付キャップと、縦方向に延びる櫛体を有するキャップとの二種類の櫛付キャップを取りそろえ、交換可能としたことを特徴とする請求項２記載の毛染液塗布用具。
【請求項６】
シリンダーの外周に二つの縮径段部を設け、計量ラインとしたことを特徴とする請求項２記載の毛染液塗布用具。
【発明の詳細な説明】
【０００１】
【発明の属する技術分野】
本発明は、毛染液塗布用具、とくに二液を収容混合し、混合液を吐出するようにした櫛付の毛染液塗布用具に関する。
【０００２】
【従来の技術】
容器内で毛染め用の二液混合液を調整し、容器口部に塗布用櫛体を取り付け、毛染液を塗布するようにした毛染液塗布用具は、従来より知られている。
【０００３】
【発明が解決しようとする課題】
従来の塗布用具は、一回の毛染めに必要とする二液を二つの容器に別個に収納し、使用にあたって、一方の液を収容した容器に他方の液を入れて混合し、該容器に櫛体を取着して毛髪に塗布するようにしていた。
毛染液の塗布にあたっては、容器を押圧して毛染液を櫛歯の吐出口から吐出させるようにしている。
その際、容器の押圧時には毛染液が吐出するが、押圧を解くと容器が復元して櫛の吐出口から空気が入り、次の押出しにあたって、毛染液は空気を排除した後に吐出されるので、塗布効率がよくないという問題があった。
【０００４】
また、櫛体は、使用後は洗滌して再度使用できるが、各容器は一回の毛染めに必要な量が収容されており、一旦混合するとその混合液は、時間の経過とともにガスが発生し効果もなくなるので、塗布終了後には、残った混合液をそのまま捨てなければならず、毛染液が無駄になるという問題があった。
さらにまた、使用後の容器は、そのまま廃棄されていたのでプラスチック廃棄物の増加にもなるという問題があった。
【０００５】
本発明は、上記問題を解決することを課題として、二液混合タイプの毛染用具において、それぞれの容器から所要量の毛染液をピストン部材を装着したシリンダー兼用の容器本体内に入れて混合し、該容器本体に頂壁上面に櫛体を形成した櫛付キャップを被嵌し、容器本体を把持し操作部材を押圧することによって、櫛歯の吐出口から毛染液を吐出するようにした毛染液塗布用具を提供することを目的とする。
【０００６】
【課題を解決するための手段】
本発明は、上記の課題を解決するため、毛染液塗布用具として、シリンダー兼用の容器本体と、該容器本体内に摺動可能として装着され操作部材を介して外部より押圧操作可能とされたピストン部材と、容器本体を被嵌する櫛付キャップとを備えた毛染液塗布用具であって、容器本体は、シリンダーを構成する側筒壁と、該側筒壁の外側に配設され外周にねじを螺設した螺着筒、およびピストン案内筒を連設した底壁とを具備し、ピストン案内筒の下部分に設けた突出リングに切欠けを形成し、切欠けの一方の側に接するよう位置して前記底壁に挿入孔を穿設しており、ピストン部材は、ピストンと、ピストン案内筒に摺動自在に嵌挿された一定の径を有するピストン摺動筒と、該ピストン摺動筒に嵌挿された係合筒と、端面が平坦な操作板とからなる操作部材とを具備し、ピストン摺動筒外周に前記挿入孔に挿入可能な係止板を付設し、廻動操作により係止板を挿入孔に挿入または底壁に係止するようにしており、櫛付キャップは、キャップ本体と櫛体とからなり、キャップ本体は、櫛体を連設した頂壁と、内周にねじを螺設した側筒壁を具備し、櫛体は、キャップ本体の頂壁に立設され、内部にシリンダー室内に連通する流通孔が穿設され、先端側部に吐出口を設けた櫛歯を具備していることを特徴とする構成を採用する。
【０００７】
毛染液塗布用具の別実施例として、リンダー兼用の容器本体と、該容器本体内に摺動可能として装着され、操作部材を介して外部より押圧操作可能とされたピストン部材と、容器本体を被嵌する櫛付キャップとを備えた毛染液塗布用具であって、容器本体は、シリンダーを構成する側筒壁と、該側筒壁の外側に配設され内周にねじを螺設した螺着筒、およびピストン案内筒を連設した段部を具えた底壁とを具備しており、底壁の段部に円弧状の挿入孔を穿設し、該挿入孔の一端部に接して一方のストッパーを設け、挿入孔を挟んで孔端より一定の距離を置いて、他方のストッパーが設けられており、ピストン部材は、ピストンと前記ピストン案内筒に摺動自在に嵌挿された一定の径を有するピストン摺動筒と、ピストン摺動筒に嵌挿された係合筒と、端面が平坦な操作板とからなる操作部材とを具備し、操作板の外周に沿って、前記円弧状の挿入孔に挿入される係止板が設けられ、廻動操作により係止板を挿入孔に挿入または底壁段部に係止するようにしており、櫛付キャップは、キャップ本体と櫛体とからなり、キャップ本体は、櫛体を連設した頂壁と、外周にねじを螺設した側筒壁を具備しており、櫛体は、内部にシリンダー室内に連通する流通孔が穿設され、先端側部に吐出口を設けた櫛歯を具備していることを特徴とする構成を採用する。
【０００８】
櫛付キャップの実施例として、櫛付キャップの櫛体が、キャップ本体の頂壁に連設された取付体と、該取付体に取着される櫛歯体とからなり、櫛歯の方向が横方向に延びる櫛体であることを特徴とする構成を採用する。
【０００９】
櫛付キャップの別実施例として、櫛付キャップの櫛体が、キャップ本体の頂壁に立設され、櫛歯の方向が縦方向に延びる櫛体であることを特徴とする構成を採用する。
【００１０】
櫛付キャップの他の実施例として、櫛付キャップとして、横方向に延びる櫛体を有する櫛付キャップと、縦方向に延びる櫛体を有するキャップとの二種類の櫛付キャップを取りそろえ、交換可能としたことを特徴とする構成を採用する。
【００１１】
計量のための実施例として、シリンダーの外周に二つの縮径段部を設け、計量ラインとしたことを特徴とする構成を採用する。
【００１２】
【発明の実施の形態】
次に本発明の第１実施形態について図面を参照して説明する。
図１，２において、Ａはシリンダーを兼用する容器本体、Ｂは容器本体Ａ内に嵌挿され、外側に操作部材を装着したピストン部材、Ｃは容器本体に被嵌される櫛付キャップであり、いずれも合成樹脂によって成形されている。
【００１３】
図３に示すように、容器本体Ａは、環状の底壁１と側筒壁２とを具えており、底壁１の内周縁には、ピストンの案内筒３が上下に延びるように連設され、その底壁１から突出する下方部分は突出リング４となっている。
該突出リング４には、図２、図３（ｂ）に示すように、一定角度範囲を有する切欠け５が設けられ、切欠け５の一方の側に沿って、底壁１に板状体の挿入孔６が穿設されている。
【００１４】
側筒壁２は、シリンダーを構成しており、外周の定位置には傾斜フランジ７が突設され、該傾斜フランジ７の中間部には、外周にねじ８を螺設した螺着筒９が立設されており、傾斜フランジ７の周辺部上面は、櫛付キャップＣのための支持台７ａとなっている。
【００１５】
図４に示すように、ピストン部材Ｂは、ピストンＢ１と該ピストンＢ１に装着された操作部材Ｂ２とからなり、ピストンＢ１は、ピストン頂壁１０と該ピストン頂壁１０の周縁に垂設されたピストン側周壁１１とを具えており、ピストン側周壁１１には、シリンダーに弾接する弾性摺動筒１２が連設されている。
【００１６】
ピストン頂壁１０の中央部下面には、ピストン摺動筒１３が垂設され、その内側には嵌合筒１４が垂設されており、ピストン頂壁１０中央部上面には、凹み面１５が形成されている。
【００１７】
前記ピストン摺動筒１３の外周は、容器本体Ａの案内筒３に摺動自在に嵌合されるようになっており、定位置に縦方向に延びる係止板１６が付設されている。該係止板１６は、前記容器本体Ａの挿入孔６に嵌挿され、ピストンＢ１のストロークエンドで定方向に廻動されることによって底壁１の表面に衝接係止されるようになっている。
【００１８】
ピストン摺動筒１３内周には、その下部に拡径部１７が形成されている。
ピストン頂壁１０とピストン側周壁１１との間には、案内筒３の内端に衝接しストロークエンドを規定する位置決め部１８を具えたリブ１９が連設されている。
【００１９】
操作部材Ｂ２は、操作板２０と該操作板２０に立設された係合筒２１とからなっており、操作板２０の上面には、矢印２２が刻印され、それぞれの方向に「ＯＰＥＮ」「ＣＬＯＳＥ」の表示２３ａ，ｂが付されている。
係合筒２１外周の下端近くには膨出環２４が突設されており、係合筒２１は前記ピストン摺動筒１３とその内側の嵌合筒１４との間に嵌挿され、膨出環２４によって一定の締め代をもってピストン摺動筒１３内周の拡径部１７に嵌合するようにされている。
【００２０】
図５に示すように、櫛付キャップＣは、キャップ本体Ｃ１と、その上面に立設された櫛体Ｃ２とからなっている。
キャップ本体Ｃ１は、頂壁３０と側筒壁３１とを具えており、頂壁３０下面の中央部にはピストン頂壁１０上面の凹み面１５に係合する凸面３２が形成され、周辺部には、図１に示すように容器本体Ａのシリンダー内周に係合し、シリンダー、ピストンＢ１とキャップ本体Ｃ１によって形成されるシリンダー室２ａを密封する密封リング３３が垂設されている。
【００２１】
側筒壁３１の内周には、容器本体Ａの螺着筒９に螺合するねじ３４が螺設されており、螺着時には、図１に示すように、密封リング３３の外側の頂壁３０下面が容器本体Ａの側筒壁２上端に衝接して、密封リング３３によってシリンダー室２ａ内が密封される。
【００２２】
櫛体Ｃ２は、櫛付キャップＣの頂壁３０の周辺近くに配設され、根本部３５とその上面に立設された櫛歯列３６とからなっている。
図６に示すように、根本部３５内部には、シリンダー室２ａに続く液溜室３７が形成されており、櫛歯列３６は、中央部に位置し毛染液を櫛歯先端の両側に吐出する複数の櫛歯３８と、両端に位置する中実の櫛歯３９とからなっている。
【００２３】
櫛歯３８には、図６（ｂ）に示すように、前記液溜室３７に通じる流通孔４０が穿孔されており、櫛歯３８の先端部の両側面には切込み４１が形成されている。
櫛歯３８の先端は、流通孔４０に交差する封鎖部４２となっており、流通孔４０から側方に開口する吐出口４３が形成されている。
【００２４】
次に、本実施形態の毛染液塗布用具の組立について簡単に説明する。
まず、容器本体Ａにピストン部材Ｂを取り付け、次いで、容器本体Ａに櫛付キャップＣを取着する。
容器本体Ａとピストン部材Ｂとの取着にあたっては、容器本体Ａの案内筒３に中側からピストンＢ１のピストン摺動筒１３を嵌挿し、外側から操作部材Ｂ２の係合筒２１を嵌挿する。
【００２５】
その際、ピストン摺動筒１３の係止板１６を底壁１の挿入孔６に挿入し、ピストンＢ１のリブ１９の位置決め部１８を案内筒３の内端に衝接させストロークエンドに位置させるまで押し込み、次いで、ピストン摺動筒１３を廻動させると、係止板１６の端部が底壁１に衝接係止され、ピストン部材Ｂはストロークエンドに維持され、操作部材Ｂ２の取着が容易にできる。
【００２６】
操作部材Ｂ２は、操作板２０の矢印２２の中央を係止板１６の位置に合わせて、係合筒２１をピストン摺動筒１３内に押し込んでいくと、係合筒２１は、ピストンＢ１のピストン摺動筒１３内と嵌合筒１４に嵌挿され、係合筒２１の膨出環２４がピストン摺動筒１３内周の拡径部１７に締め代をもって嵌着される。
【００２７】
次に、容器本体Ａの螺着筒９にキャップ本体Ｃ１の側筒壁３１を螺合すると、キャップ本体Ｃ１の頂壁３０下面が容器本体Ａの側筒壁２上端に衝接するまで閉じられ、シリンダー室２ａを密封するようにして櫛付キャップＣが取着される。
かくして、塗布用具が組み立てられることになる。
【００２８】
次に、本実施形態の毛染液塗布用具の使用態様と作用効果について説明する。毛染液は、二種の液が別々の容器に入れられ、本塗布用具と別添の計量カップとともに市販される。
毛染液の使用にあたっては、まず、櫛付キャップＣを開くとともに操作部材Ｂ２を「ＣＬＯＳＥ」の方向に廻動してピストン部材Ｂをストロークエンドに係止させる。
次に、容器本体Ａに毛染液の第１液を計量カップで計量して入れ、次いで、同量の第二液を計量して入れて、櫛付キャップＣを閉じ、塗布用具を振って混合させる。
【００２９】
次に、操作板２０を「ＯＰＥＮ」の方向に廻動すると係止状態が解かれ、係止板１６が挿入孔６に挿入されピストン部材Ｂを上下動可能とする。
キャップ本体Ｃ１の頂壁３０と操作部材Ｂ２の操作板２０を挟持するようにして塗布用具を保持し、櫛体Ｃ２の櫛歯先端を所望する部分に当て、操作板２０を容器本体Ａに押しつけると、ピストンＢ１が押し下げられ、毛染液がシリンダー室２ａから液溜室３７、流通孔４０を通って櫛歯３８の吐出口４３から吐出され、毛髪に塗布することができる。
【００３０】
塗布にあたって、吐出口４３が櫛歯３８の先端側部に設けられているので、毛染液は横方向に吐出し、櫛体Ｃ２の両側には中実の櫛歯３９があるので、毛染液はまず櫛歯３８の先端部に溜まることになる。
塗布用具を動かすと、一定巾に塗布することができ、容器本体Ａと操作部材Ｂ２とを押しつけながら動かすと、連続して均一に吐出することもできる。
また、塗布用具の押圧操作に応じて毛染液は直ちに櫛歯から吐出されるので、所望する塗布個所に毛染液を効率的に塗布することができる。
【００３１】
毛髪の生え際等に毛染液を塗布する場合には、別に添付したブラシに櫛歯３８から吐出された混合液を付着させブラシによって塗布する。
したがって、狭い範囲にもブラシによって細かく塗布することができる。
【００３２】
上記第１実施形態では、一定量の毛染液を使用するようにしているが、混合液の使用量について髪の長さ、毛髪の厚薄等によって個人差があるので、使用説明書に髪の長さ、毛髪の厚薄等に応じて利用者に適用される使用量を記載し、それに応じて計量カップを用いて指定された目盛線まで毛染液を入れ計量するようにしてもよい。
【００３３】
使用後に、容器本体Ａから櫛付キャップＣを取り外す。
その際、キャップ本体Ｃ１は、容器本体Ａに螺合されているので、キャップ本体Ｃ１を廻動し、キャップ本体Ｃ１の頂壁３０と容器本体Ａの側筒壁２との密封を解くと、ねじ８の部分から大気がシリンダー室２ａ内に入り、ピストンＢ１は容易に押し下げることができる。
【００３４】
櫛付キャップＣとピストン部材Ｂを取着した容器本体Ａとを分離し洗滌すると、再び塗布用具として使用することができ、二液の容器は、数回分の容液を入れておけるので、容器を従来のように毛染めの都度捨てなくてもよい。
そしてまた、部分的な白髪染め等、少量の毛染液で済む場合には、容器に収納された毛染液を何度にも分けて使えるので、毛染液の無駄がなく経済的である。
【００３５】
次に本発明の第２実施形態について図面を参照して説明する。
本実施形態は、前実施形態における容器本体の構成を変更するとともに、櫛付キャップを取り換え、容器本体に対する櫛歯の方向を横方向とした櫛横向きタイプ、或いは櫛歯を縦方向とした櫛縦向きタイプのいずれのものでも交換使用できるようにしたものである。
【００３６】
まず、櫛横向きタイプの櫛付キャップを具えた実施例について説明すると、図７において、Ａａはシリンダーを兼用する容器本体、Ｂａは容器本体Ａ内に嵌挿され、外側に操作部材を装着したピストン部材、Ｃａは容器本体に被嵌される櫛付キャップであり、いずれも合成樹脂によって成形されている。
【００３７】
図７〜９に示すように、容器本体Ａａは、底壁５０と側筒壁５１と螺着筒５２を具えており、底壁５０の中央部には、段部５３が設けられ、該段部５３の内周縁には、ピストンの案内筒５４が上下に延びるように連設されている。
前記段部５３には、図８、図９（ｂ）に示すように、一定角度範囲をおいてストッパー５５ａ，５５ｂが設けられ、一方のストッパー５５ａに接して円弧状の挿入孔５６が穿設されている。
【００３８】
側筒壁５１は、シリンダーを構成しており、外周面には上下二つの縮径段部が形成され、該縮径段部は計量目盛の役割を果たし、下方の縮径段部は第１計量ライン５７、上方の縮径段部は第２計量ライン５８となっている。
螺着筒５２の内周には、ねじ５９が螺設されており、櫛付キャップＣａを取着するようにしている。
【００３９】
図１０，１１に示すように、ピストン部材Ｂａは、ピストンＢ１ａと該ピストンＢ１ａに装着された操作部材Ｂ２ａとからなり、ピストンＢ１ａは、ピストン頂壁６０と該ピストン頂壁６０の周縁に垂接されたピストン側周壁６１とを具えており、ピストン側周壁６１には、シリンダーに弾接する弾性摺動筒６２が連設されている。
ピストン頂壁６０の中央部下面には、ピストン摺動筒６３が垂設され、その内側には嵌合筒６４が垂設されている。
【００４０】
前記ピストン摺動筒６３の外周は、容器本体Ａａの案内筒５４に摺動自在に嵌合されるようになっており、ピストン摺動筒６３内周には、その下方部に拡径部６５が形成されている。
ピストン頂壁６０とピストン側周壁６１との間には、容器本体Ａａの段部５３の内面に衝接しストロークエンドを規定する位置決め部６６を具えたリブ６７が連設されている。
【００４１】
操作部材Ｂ２ａは、操作板６８と該操作板６８に立設された係合筒６９とからなっており、操作板６８の上面には、矢印７０が刻印され、それぞれの方向に「ＯＰＥＮ」「ＣＬＯＳＥ」の表示７１ａ，ｂが付されている。
操作板６８の周縁には、縦方向に延びる一対の円弧状の係止板７２が立設されており、該係止板７２は、前記容器本体Ａａの挿入孔５６に嵌挿され、ピストンＢ１ａのストロークエンドで一定方向に廻動されることによって底壁５０の段部５３表面に衝接係止されるようになっている。
【００４２】
係合筒６９外周の下端近くには膨出環７３が突設されており、係合筒６９は前記ピストン摺動筒６３とその内側の嵌合筒６４との間に嵌挿され、膨出環７３によって一定の締め代をもってピストン摺動筒６３内周の拡径部６５に嵌合するようにされている。
【００４３】
図１２に示すように、櫛付キャップＣａは、キャップ本体Ｃ１ａと、該キャップ本体Ｃ１ａに連設された櫛体Ｃ２ａとからなっている。
キャップ本体Ｃ１ａは、頂壁８０と側筒壁８１とを具えており、頂壁８０上面には、滑り止めのためローレットが刻設されており、下面には、容器本体Ａａのシリンダー内周に係合する密封リング８２が垂設されている。
【００４４】
側筒壁８１の外周には、容器本体Ａａの螺着筒５２の上端に接合する係止フランジ８３と螺着筒５２のねじ５９に螺合するねじ８４が設けられており、螺着時には、図７に示すように、密封リング８２の外側の頂壁８０下面が容器本体Ａａの側筒壁５１上端に衝接して、密封リング８２によってシリンダー室５１ａ内が密封される。
【００４５】
櫛体Ｃ２ａは、キャップ本体Ｃ１ａの頂壁８０の周辺近くに配設され、横方向の延びる取付体８５と、該取付体８５に取着された櫛歯体８６とからなっている。
取付体８５は、流れ方向を横方向に変える液案内部８７と、取付端部８８とを具えている。
液案内部８７は、頂壁８０に設けられた開口８９を被う覆板９０と側板９１、頂壁８０および頂壁８０から延びる下板９２とからなり、開口８９に続く広巾の液流路９３を形成している。
【００４６】
取付端部８８は、覆板９０、側板９１、下板９２に連設された上下左右の傾斜板９４によって液案内部８７に接続され、両側に円弧を有する広巾断面の筒体９５によって櫛体の取付部が形成されている。
筒体９５の内側は、液溜室９６となっており、筒体９５の外周の根本部には、外周をめぐる突出板９７が形成され、中央部には、膨出部９８が設けられている。
【００４７】
図１３に示すように、櫛歯体８６は、取付部９９と該取付部９９に連設された櫛歯列１００とからなり、取付部９９は、前記筒体９５に嵌合する側筒壁１０１と頂壁１０２を具えている。
側筒壁１０１の端部内周には、前記膨出部９８に係合する膨出部１０３が設けられており、側筒壁１０１の内周に前記筒体９５の内周に嵌合する密封板１０４が垂設されている。
櫛歯列１００は、中央部に位置し毛染液を櫛歯先端の両側に吐出する複数の櫛歯１０５と、両端に位置する中実の櫛歯１０６とからなっている。
【００４８】
櫛歯１０５には、図１３（ｂ）に示すように、前記液溜室９６に通じる流通孔１０７が穿孔されており、櫛歯１０５の先端部の両側面には切込み１０８が形成されている。
櫛歯１０５の先端は、流通孔１０７に交差する封鎖部１０９となっており、流通孔１０７から側方に開口する吐出口１１０が形成されている。
【００４９】
以上は、第２実施形態における櫛歯が横方向に延びる櫛横向きタイプの櫛付キャップに関するものであるが、次に櫛歯が縦方向に延びる櫛縦向きタイプの実施例について説明する。
本実施例は、必要に応じて櫛横向きタイプのものと交換できるようにしたもので、容器本体Ａａ、ピストン部材Ｂａは同一であるので、説明は省略する。
【００５０】
図１４〜１６において、櫛付キャップＣｂは、キャップ本体Ｃ１ｂと櫛体Ｃ２ｂとからなり、キャップ本体Ｃ１ｂは、頂壁１２０と側筒壁１２１を具えており、頂壁１２０の下面には、密封リング１２２が垂設されている。
側筒壁１２１外周には、係止フランジ１２３と容器本体Ａａ螺着筒５２のねじ５９に螺合するねじ１２４が設けられている。
【００５１】
櫛体Ｃ２ｂは、キャップ本体Ｃ１ｂの頂壁１２０の周辺近くに配設され、根本部１２５とその上面に立設された櫛歯列１２６とからなっている。
根本部１２５内部には、シリンダー室５１ａに続く液溜室１２７が形成されており、櫛歯列１２６は、中央部に位置し毛染液を櫛歯先端の両側に吐出する複数の櫛歯１２８と、両端に位置する中実の櫛歯１２９とからなっている。
【００５２】
櫛歯１２８には、図１４〜１６に示すように、前記液溜室１２７に通じる流通孔１３０が穿孔されており、櫛歯１２８の先端部の両側面には切込み１３１が形成されている。
櫛歯１２８の先端は、流通孔１３０に交差する封鎖部１３２となっており、流通孔１３０から側方に開口する吐出口１３３が形成されている。
【００５３】
次に、第２実施形態の毛染液塗布用具の組立について簡単に説明する。
まず、容器本体Ａａにピストン部材Ｂａを取り付け、次いで、容器本体Ａａに櫛付キャップＣａまたは櫛付キャップＣｂを取着する。
容器本体Ａａとピストン部材Ｂａとの取着にあたっては、容器本体Ａａの案内筒５４に中側からピストンＢ１ａのピストン摺動筒６３を嵌挿し、外側から操作部材Ｂ２ａの係合筒６９を嵌挿する。
【００５４】
その際、ピストンＢ１ａを、そのリブ６７の位置決め部６６が案内筒５４の内端に衝接させストロークエンドに位置させるまで押し込む。
次いで、操作部材Ｂ２ａを、係止板７２が底壁５０の挿入孔５６に挿入するよう位置合わせして、係合筒６９をピストン摺動筒６３内に押し込んでいくと、係合筒６９は、ピストンＢ１ａのピストン摺動筒６３内と嵌合筒６４に嵌挿され、係合筒６９の膨出環７３がピストン摺動筒６３内周の拡径部６５に締め代をもって嵌着される。
【００５５】
次に、容器本体Ａａの螺着筒５２に、櫛歯体８６を取付体８５に取着した櫛体Ｃ２ａが横方向に延びる櫛横向きタイプのキャップ本体Ｃ１ａの側筒壁８１、または櫛体Ｃ２ａが縦方向に延びる櫛縦向きタイプのキャップ本体Ｃ１ｂの側筒壁１２１を螺合すると、キャップ本体Ｃ１ａの頂壁８０下面が容器本体Ａａの側筒壁５１上端に衝接するまで閉じられ、シリンダー室５１ａを密封するようにして櫛付キャップＣａまたは櫛付キャップＣｂが取着される。
かくして、塗布用具が組み立てられることになる。
【００５６】
次に、第２実施形態毛染液塗布用具の使用態様と作用効果について説明する。毛染液は、二種の液が別々の容器に入れられ、二種類の櫛付キャップを具えた本塗布用具とともに市販される。
毛染液の使用にあたっては、まず、櫛付キャップを開くとともに操作部材Ｂ２ａを「ＣＬＯＳＥ」の方向に廻動して、ピストン部材Ｂａをストロークエンドに係止させる。
【００５７】
次に、容器本体Ａａに毛染液の第１液を第１計量ライン５７まで入れ、次いで、同量の第二液を第２計量ライン５８まで入れて、櫛付キャップＣａまたは櫛付キャップＣｂを閉じ、塗布用具を振って混合させる。
【００５８】
次に、操作板６８を「ＯＰＥＮ」の方向に廻動すると係止状態が解かれ、円弧状の係止板７２が挿入孔５６に挿入され、ピストン部材Ｂａを上下動可能とする。
キャップ本体Ｃ１ａ，Ｃ１ｂの頂壁８０，１２０と操作部材Ｂ２ａの操作板６８を挟持するようにして塗布用具を保持し、櫛体Ｃ２ａ，Ｃ２ｂの櫛歯先端を所望する部分に当て、操作板６８を容器本体Ａａに押しつけると、ピストンＢ１ａが押し下げられ、毛染液がシリンダー室５１ａから液溜室９６，１２７、流通孔１０７，１３０を通って櫛歯１０５，１２８の吐出口１１０，１３３から吐出され、毛髪に塗布することができる。
【００５９】
塗布にあたって、吐出口１１０，１３３が櫛歯１０５，１２８の先端側部に設けられているので、毛染液は横方向に吐出し、櫛体の両側には中実の櫛歯１０６，１２９があるので、毛染液はまず櫛歯１０５，１２８の先端部に溜まることになる。
塗布用具を動かすと、一定巾に塗布することができ、容器本体Ａａと操作部材Ｂ２ａとを押しつけながら動かすと、連続して均一に吐出することもできる。
また、塗布用具の押圧操作に応じて毛染液は直ちに櫛歯から吐出されるので、所望する塗布個所に毛染液を効率的に塗布することができる。
【００６０】
櫛付キャップとして、二つのタイプがあるが、櫛横向きタイプの場合には、塗布用具を把持する手先の方向と櫛歯の方向が同一となるので、微細に動かすことができ、操作が容易となる。
そのため、毛髪全体に均一に塗布する場合には、より便利である。
【００６１】
櫛縦向きタイプの場合は、手先の方向と櫛歯の方向が直角となるため、均一に塗布するためには注意しなければならないが、頭の頂部の毛髪に塗布する場合には、操作が容易であるので、毛髪の根本部に部分的に塗布する場合には、極めて便利である。
【００６２】
上記の第２実施形態では、計量ラインまで毛染液を入れ一定量使用するようにしているが、混合液の使用量について髪の長さ、毛髪の厚薄等によって個人差があるので、第１実施形態と同様に、使用説明書に髪の長さ、毛髪の厚薄等に応じて利用者に適用される使用量を記載し、それに応じて計量カップを用いて指定された目盛線まで毛染液を入れ計量するようにしてもよい。
【００６３】
また上記第２実施形態では、ピストンの頂壁およびキャップ本体の頂壁をフラットにしているが、第１実施形態と同様にそれぞれの頂壁に凹部を設けてもよく、キャップ本体の頂壁に凹部を設けることによって把持し易くすることができる。
【００６４】
また第２実施形態では、櫛横向きタイプと縦向きタイプの二つの櫛付キャップを取りそろえ交換可能としているが、いずれか一方のみであってもよい。
【００６５】
上記各実施形態の塗布用具は、毛染液用であるが、所要量のクリーム状毛染剤を容器本体に入れて混合し塗布することもできるので、クリーム状毛染剤の塗布用具としても利用することもできる。
【００６６】
【発明の効果】
本発明は、上記のように構成されているから、次の効果を奏する。
毛染液の混合は、各液の容器から大径の内径を有する容器本体内に入れるので、液容器からの移し換えが容易となり、また、片手で塗布用具を持って操作部材を押圧するだけで直ぐに毛染液が吐出されるので、所望個所に効率的に塗布することができる。
【００６７】
使用後に、塗布用具を洗滌すると、再度使用することができ、毛染液の容器は、数回分の容液を入れておけるので、従来の毛染液塗布用具のように一回の毛染めの都度捨てなくてもよく、省資源、廃棄物減量に役立たせることができる。
【００６８】
櫛横向きタイプと縦向きタイプの二つの櫛付キャップを取りそろえ、交換可能とした場合には、使い易さに応じていずれかを選択できるようになった。
【図面の簡単な説明】
【図１】第１実施形態塗布用具の一部断面正面図である。
【図２】塗布用具の左側面図である。
【図３】容器本体の説明図で、（ａ）はシリンダー兼用の容器本体の一部断面正面図、（ｂ）は底面図である。
【図４】ピストン部材の説明図で、（ａ）は断面図、（ｂ）は図（ａ）のＡ−Ａ線における底面図である。
【図５】櫛付キャップの説明図で、（ａ）は一部断面正面図、（ｂ）は上面図である。
【図６】  櫛歯列の説明図で、（ａ）は一部断面側面図、（ｂ）は図５（ｂ）のＡ−Ａ線における断面図である。
【図７】第２実施形態塗布用具の断面正面図である。
【図８】塗布用具の一部断面右側面図である。
【図９】容器本体の説明図で、（ａ）はシリンダー兼用の容器本体の一部断面正面図、（ｂ）は底面図である。
【図１０】ピストン部材の一部断面正面図である。
【図１１】ピストン部材の説明図で、（ａ）は図１０のＡ−Ａ線における断面図、（ｂ）は底面図である。
【図１２】櫛横向きタイプの櫛付キャップの説明図で、（ａ）は一部断面正面図、（ｂ）は櫛体を一部断面とした上面図である。
【図１３】  櫛歯列の説明図で、（ａ）は右側面図、（ｂ）は図（ａ）のＡ−Ａ線における断面図、（ｃ）は左側面図である。
【図１４】  櫛縦向きタイプの櫛付キャップの説明図で、（ａ）は上面図、（ｂ）は一部断面正面図である。
【図１５】  櫛付キャップの一部断面側面図である。
【図１６】  櫛歯の説明図で、図１４（ａ）のＡ−Ａ線における断面図である。
【符号の説明】
Ａ、Ａａ              容器本体
Ｂ、Ｂａ              ピストン部材
Ｂ１、Ｂ１ａ          ピストン
Ｂ２、Ｂ２ａ          操作部材
Ｃ、Ｃａ、Ｃｂ        櫛付キャップ
Ｃ１、Ｃ１ａ、Ｃ１ｂ  キャップ本体
Ｃ２、Ｃ２ａ、Ｃ２ｂ  櫛体
１、５０              底壁
２、５１              側筒壁
３、５４              案内筒
４                    突出リング
５                    切欠け
６、５６              挿入孔
１０、６０              ピストン頂壁
１２、６２              弾性摺動筒
１３、６３              ピストン摺動筒
１６、７２              係止板
２０、６８              操作板
２１、６９              係合筒
３０、８０、１２０      頂壁
３５、１２５            根本部
３６、１００、１２６    櫛歯列
３７、９６、１２７      液溜室
３８，３９、１０５，１０６、１２８，１２９    櫛歯
４０、１０７、１３０    流通孔
４１、１０８、１３１    切込み
４２、１０９、１３２    封鎖部
４３、１１０、１３３    吐出口
５５ａ，ｂ              ストッパー
【図１】
0004094181.tif 000002
【図２】
0004094181.tif 000003
【図３】
0004094181.tif 000004
【図４】
0004094181.tif 000005
【図５】
0004094181.tif 000006
【図６】
0004094181.tif 000007
【図７】
0004094181.tif 000008
【図８】
0004094181.tif 000009
【図９】
0004094181.tif 000010
【図１０】
0004094181.tif 000011
【図１１】
0004094181.tif 000012
【図１２】
0004094181.tif 000013
【図１３】
0004094181.tif 000014
【図１４】
0004094181.tif 000015
【図１５】
0004094181.tif 000016
【図１６】
0004094181.tif 000017